(57)【要約】【課題】  マルチメディアブロードキャスト／マルチキャストサービス(ＭＢＭＳ)を提供する移動通信システムを提供する。【解決手段】  複数のセルを通じて前記セルに位置する一つ以上のユーザー端末にマルチメディアブロードキャスト／マルチキャストサービス(ＭＢＭＳ)を提供する第１の無線網制御器と、前記セルを管理する第２の無線網制御器と、を含む移動通信システムにおける前記ＭＢＭＳを提供するための呼び出し方法であって、前記第２の無線網制御器が前記セル別にＭＢＭＳを提供するか否かを含む伝送モード情報を決定し、前記決定された伝送モード情報を含むメッセージを前記第１の無線網制御器に伝送する過程と、前記第１の無線網制御器が前記伝送モード情報を含む通知メッセージを専用物理チャンネルを通じて前記セルに位置する前記ユーザー端末に伝送する過程と、を含む。【選択図】  図２
2005323378.tif 000002
【特許請求の範囲】
【請求項１】
複数のセルを通じて前記セルに位置する一つ以上のユーザー端末にマルチメディアブロードキャスト／マルチキャストサービス(ＭＢＭＳ)を提供するサービング無線網制御器(ＳＲＮＣ)と、前記セルを管理するドリフト無線網制御器(ＤＲＮＣ)と、を含む移動通信システムにおける前記ＭＢＭＳを提供するための方法であって、
前記ドリフト無線網制御器が前記セル別に前記ＭＢＭＳのためのチャンネルタイプまたは前記ＭＢＭＳを提供するか否かを決定する過程と、
前記決定されたチャンネルタイプまたは前記ＭＢＭＳが提供されたか否かを示す伝送モード情報を含むメッセージを前記サービング無線網制御器に伝送する過程と、
を含むことを特徴とする方法。
【請求項２】
前記伝送モード情報は、前記チャンネルタイプが一対一(ＰＴＰ)であるか、前記チャンネルタイプが一対多(ＰＴＭ)であるか、あるいはＭＢＭＳ提供不可であるかを示すことを特徴とする、請求項１に記載の方法。
【請求項３】
前記伝送モード情報は、前記チャンネルタイプが一対一(ＰＴＰ)であるか、あるいはＭＢＭＳ提供不可であるかを示すことを特徴とする、請求項１に記載の方法。 
【請求項４】
前記メッセージを受信しなかった場合、前記サービング無線網制御器は該当セルのチャンネルタイプがＰＴＭであると自動的に判断することを特徴とする、請求項３に記載の方法。 
【請求項５】
前記伝送モード情報は、前記チャンネルタイプが一対一(ＰＴＰ)であるか、あるいは前記チャンネルタイプが一対多(ＰＴＭ)であるかを示すことを特徴とする、請求項１に記載の方法。
【請求項６】
前記メッセージを受信しなかった場合、前記サービング無線網制御器は該当セルがＭＢＭＳ提供不可であると自動的に判断することを特徴とする、請求項５に記載の方法。 
【請求項７】
前記サービング無線網制御器が前記メッセージに含まれた伝送モード情報によって前記複数のセルの伝送モードをＰＴＰあるいはＰＴＭあるいはＭＢＭＳ提供不可に把握した後、前記ユーザー端末別に前記ＭＢＭＳのための伝送モードを決定する過程をさらに含むことを特徴とする、請求項１に記載の方法。
【請求項８】
前記サービング無線網制御器は、専用制御チャンネル(ＤＣＣＨ)を通じて該当ユーザー端末に前記決定された伝送モードを知らせるＭＢＭＳ専用通知メッセージを伝送する過程をさらに含むことを特徴とする、請求項７に記載の方法。
【請求項９】
前記ドリフト無線網制御器は、前記各セルの無線資源及び前記各セルに位置した前記ＭＢＭＳに参加したユーザー端末の数を考慮して、前記セル別に伝送モードを決定することを特徴とする請求項１に記載の方法。
【請求項１０】
前記メッセージは、Ｉｕｒインターフェース上のＭＢＭＳチャンネルタイプ再構成指示(ＭＢＭＳ Ｃｈａｎｎｅｌ Ｔｙｐｅ Ｒｅｃｏｎｆｉｇｕｒａｔｉｏｎ Ｉｎｄｉｃａｔｉｏｎ)メッセージであることを特徴とする、請求項１に記載の方法。 
【請求項１１】
前記メッセージは、ＭＢＭＳサービス識別子と、セル識別子と、をさらに含むことを特徴とする、請求項１０に記載の方法。
【請求項１２】
前記メッセージは、前記サービング無線網制御器と前記ドリフト無線網制御器との間にＭＢＭＳサービスのために設定されたシグナリングベアラーを通じて伝達されることを特徴とする、請求項１に記載の方法。 
【請求項１３】
前記シグナリングベアラーは、非連結型シグナリングベアラーであることを特徴とする、請求項１２に記載の方法。
【請求項１４】
前記シグナリングベアラーは、前記ＭＢＭＳのために専用に設定された連結型シグナリングベアラーであることを特徴とする、請求項１２に記載の方法。
【請求項１５】
前記シグナリングベアラーは、前記ＭＢＭＳを含むすべてのＭＢＭＳサービスのために設定された連結型シグナリングベアラーであることを特徴とする、請求項１２に記載の方法。
【請求項１６】
移動通信システムでＭＢＭＳを提供するための装置であって、
複数のセルを通じて前記セルに位置する一つ以上のユーザー端末にマルチメディアブロードキャスト／マルチキャストサービス(ＭＢＭＳ)を提供するサービング無線網制御器と、
前記セル別に前記ＭＢＭＳのためのチャンネルタイプまたは前記ＭＢＭＳを提供するか否かを決定し、前記決定されたチャンネルタイプまたは前記ＭＢＭＳが提供されたか否かを示す伝送モード情報を含むメッセージを前記サービング無線網制御器に伝送するドリフト無線網制御器と、
を含むことを特徴とする装置。
【請求項１７】
前記伝送モード情報は、前記チャンネルタイプが一対一(ＰＴＰ)であるか、前記チャンネルタイプが一対多(ＰＴＭ)であるか、あるいはＭＢＭＳ提供不可であるかを示すことを特徴とする、請求項１６に記載の装置。
【請求項１８】
前記伝送モード情報は、前記チャンネルタイプが一対一(ＰＴＰ)であるか、あるいはＭＢＭＳ提供不可であるかを示すことを特徴とする、請求項１６に記載の装置。
【請求項１９】
前記メッセージを受信しなかった場合、前記サービング無線網制御器は該当セルのチャンネルタイプがＰＴＭであると自動的に判断することを特徴とする、請求項１８に記載の装置。
【請求項２０】
前記伝送モード情報は、前記チャンネルタイプが一対一(ＰＴＰ)であるか、あるいは前記チャンネルタイプが一対多(ＰＴＭ)であるかを示すことを特徴とする、請求項１６に記載の装置。
【請求項２１】
前記メッセージを受信しなかった場合、前記サービング無線網制御器は該当セルがＭＢＭＳ提供不可であると自動的に判断することを特徴とする、請求項２０に記載の装置。
【請求項２２】
前記サービング無線網制御器が前記メッセージに含まれた伝送モード情報によって前記複数のセルの伝送モードをＰＴＰあるいはＰＴＭあるいはＭＢＭＳ提供不可に把握した後、前記ユーザー端末別に前記ＭＢＭＳのための伝送モードを決定する過程をさらに含むことを特徴とする、請求項１６に記載の装置。
【請求項２３】
前記サービング無線網制御器は、専用制御チャンネル(ＤＣＣＨ)を通じて該当ユーザー端末に前記決定された伝送モードを知らせるＭＢＭＳ専用通知メッセージを伝送する過程をさらに含むことを特徴とする、請求項２２に記載の装置。
【請求項２４】
前記ドリフト無線網制御器は、前記各セルの無線資源及び前記各セルに位置した前記ＭＢＭＳに参加したユーザー端末の数を考慮して、前記セル別に伝送モードを決定することを特徴とする、請求項１６に記載の装置。
【請求項２５】
前記メッセージは、Ｉｕｒインターフェース上のＭＢＭＳチャンネルタイプ再構成指示(ＭＢＭＳ Ｃｈａｎｎｅｌ Ｔｙｐｅ Ｒｅｃｏｎｆｉｇｕｒａｔｉｏｎ Ｉｎｄｉｃａｔｉｏｎ)メッセージであることを特徴とする、請求項１６に記載の装置。
【請求項２６】
前記メッセージは、ＭＢＭＳサービス識別子と、セル識別子と、をさらに含むことを特徴とする、請求項２５に記載の装置。
【請求項２７】
前記メッセージは、前記サービング無線網制御器と前記ドリフト無線網制御器との間にＭＢＭＳサービスのために設定されたシグナリングベアラーを通じて伝達することを特徴とする、請求項１６に記載の装置。
【請求項２８】
前記シグナリングベアラーは、非連結型シグナリングベアラーであることを特徴とする、請求項２７に記載の装置。
【請求項２９】
前記シグナリングベアラーは、前記ＭＢＭＳのために専用に設定された連結型シグナリングベアラーであることを特徴とする、請求項２７に記載の装置。
【請求項３０】
前記シグナリングベアラーは、前記ＭＢＭＳを含むすべてのＭＢＭＳサービスのために設定された連結型シグナリングベアラーであることを特徴とする、請求項２７に記載の装置。
【発明の詳細な説明】
【技術分野】
【０００１】
本発明は、マルチメディアブロードキャスト／マルチキャストサービス(Ｍｕｌｔｉｍｅｄｉａ Ｂｒｏａｄｃａｓｔ/Ｍｕｌｔｉｃａｓｔ Ｓｅｒｖｉｃｅ：以下、‘ＭＢＭＳ’と称する)を提供する移動通信システムに関し、特に、ＭＢＭＳサービスを提供するための方法に関する。
【背景技術】
【０００２】
最近、通信技術の発達に伴って、移動通信システムから提供するサービスは、従来の音声サービスだけではなく、パケットデータ、サーキットデータなどのような大容量のデータを伝送するパケットサービス通信と、マルチメディアサービスを伝送することができるマルチメディアブロードキャスト/通信に発展している。したがって、マルチメディアブロードキャスト/通信を支援するために、一つあるいは多数のマルチメディアデータソースから多数のユーザー端末機(Ｕｓｅｒ Ｅｑｕｉｐｍｅｎｔ：以下、‘ＵＥ’と称する)にサービスを提供するマルチメディアブロードキャスト/マルチキャストサービスが論議されている。
【０００３】
ＭＢＭＳは、無線ネットワークを通じて同一のマルチメディアデータを多数の受信者に伝送するサービスを通称する。この場合、多数の受信者が一つの無線チャンネルを共有するので、無線伝送資源を節約することができる。ＭＢＭＳサービスは、リアルタイム映像及び音声、静止画、文字などのマルチメディア伝送形態を支援し、マルチメディア伝送形態によって音声データと映像データを同時に提供することができるサービスとして大量の伝送資源を要求する。ＭＢＭＳサービスの場合には、ユーザーが位置している多数のセルに同一のデータを伝送しなければならないので、各セル別に位置するユーザーの数によって一対一(Ｐｏｉｎｔ ｔｏ Ｐｏｉｎｔ:以下、‘ＰＴＰ’と称する)または一対多(Ｐｏｉｎｔ ｔｏ Ｍｕｌｔｉｐｏｉｎｔ:以下、‘ＰＴＭ’と称する)接続が行われる。即ち、ＰＴＰ方式は、ＵＥについてＵＥ別に希望するＭＢＭＳサービスを提供すると共に、専用チャンネルを各ＵＥに割り当ててサービスを提供するようになる。一方、ＰＴＭは、同一のＭＢＭＳサービスを要請したＵＥについてＭＢＭＳサービス別に共通チャンネルを割り当てて該当サービスを提供するようになる。
【０００４】
以下、本発明の説明では、移動通信網に関する一例として第３世代非同期移動通信網の標準である３ＧＰＰ(３ｒｄ Ｇｅｎｅｒａｔｉｏｎ Ｐｒｏｊｅｃｔ Ｐａｒｔｎｅｒｓｈｉｐ:以下、“３ＧＰＰ”と称する)を例に挙げて説明するが、それ以外のＭＢＭＳを使用する他の移動通信ネットワークに本発明を適用して使用することもできる。
【０００５】
図１は、移動通信ネットワークにおいてＭＢＭＳサービスの提供に参加するノードを概略的に示す図である。
図１に示したように、ユーザー端末機(ＵＥ)１６１、１６２、１６３、１７１、１７２は、ＭＢＭＳサービスを受信できる端末装置あるいは加入者を意味し、一つのセルに多数のＵＥが存在することができる。第１のセル１６０と第２のセル１７０は加入者にＭＢＭＳ関連データを無線伝送する基地局装置、即ち、ｎｏｄｅ Ｂにより制御される。ここでは説明の便宜のために一つのｎｏｄｅ Ｂに一つのセルが存在すると仮定する。無線網制御器(Ｒａｄｉｏ Ｎｅｔｗｏｒｋ Ｃｏｎｔｒｏｌｌｅｒ：以下、‘ＲＮＣ’と称する)１４０は、多数のセル１６０、１７０を制御してマルチメディアデータを特定セルに選択的に伝送し、ＭＢＭＳサービスを提供するために設定されている無線チャンネルを制御する。ＲＮＣ１４０とＵＥ１６１乃至１７２の間の接続は、無線資源制御(Ｒａｄｉｏ Ｒｅｓｏｕｒｃｅ Ｃｏｎｔｒｏｌ：以下、“ＲＲＣ”と称する)インターフェースと言われる。ＲＮＣ１４０は、サービスパケット無線サービスサポートノード(Ｓｅｒｖｉｎｇ ＧＰＲＳ Ｓｕｐｐｏｒｔ Ｎｏｄｅ：以下、‘ＳＧＳＮ’と称する)１３０によりインターネットなどのようなパケット交換サービス(Ｐａｃｋｅｔ Ｓｗｉｔｃｈｅｄ ｏｒ Ｐａｃｋｅｔ Ｓｅｒｖｉｃｅ：以下、“ＰＳ”と称する)ネットワークに接続される。
【０００６】
この時、ＲＮＣは、その動作(ｒｏｌｅ)に応じてサービングＲＮＣ(Serving Radio Network Controller)(以下、“ＳＲＮＣ”と称する)あるいはドリフトＲＮＣ(drift Radio Network Controller)(以下、“ＤＲＮＣ”と称する)または制御ＲＮＣ(以下、“ＣＲＮＣ”と称する)に分類される。ＳＲＮＣは、各ＵＥの情報を管理してＳＧＳＮ１３０とのデータ伝送を担当するＲＮＣを意味し、ＵＥのデータがＳＲＮＣではない他のＲＮＣを経てＳＲＮＣに送受信される場合、他のＲＮＣは、ＤＲＮＣになる。ＣＲＮＣは、ＵＥを制御するＲＮＣである。
【０００７】
ＲＮＣ１４０とＰＳネットワークとの間の通信はパケット交換シグナリング(Ｐａｃｋｅｔ Ｓｗｉｔｃｈｅｄ Ｓｉｇｎａｌｉｎｇ:ＰＳ Ｓｉｇｎａｌｉｎｇ)により行われる。特に、ＲＮＣ１４０とＳＧＳＮ１３０との間の接続(connection)はＩｕ−ＰＳインターフェースと言われる。ＳＧＳＮ１３０は各々の加入者のＭＢＭＳ関連サービスを制御する。ＳＧＳＮ１３０が担当する代表的な役割には、各加入者のサービス課金関連データを管理する役割と、マルチメディアデータを特定ＲＮＣ１４０に選択的に伝送する役割などがある。
【０００８】
運送ネットワーク(Ｔｒａｎｓｉｔ ＮＷ)１２０は、マルチキャスト/ブロードキャスト-サービスセンター(Ｂｒｏａｄｃａｓｔ Ｍｕｌｔｉｃａｓｔ Ｓｅｒｖｉｃｅ Ｃｅｎｔｅｒ：以下、“ＢＭ−ＳＣ”と称する)１１０とＳＧＳＮ１３０との間の通信路を提供し、ゲートウェイパケットサービスサポートノード(Ｇａｔｅｗａｙ ＧＰＲＳ Ｓｕｐｐｏｒｔ Ｎｏｄｅ：ＧＧＳＮ図示せず)を通じて外部網に連結することができる。ＭＢＭＳデータソースとしての役割を果たすＢＭ−ＳＣ１１０は、ＭＢＭＳデータのスケジューリングを担当している。
【０００９】
一方、ＲＮＣ１４０は、移動交換局(Ｍｏｂｉｌｅ Ｓｗｉｔｃｈｉｎｇ Ｃｅｎｔｅｒ:以下、‘ＭＳＣ’と称する)１５０により回線交換(Ｃｉｒｃｕｉｔ Ｓｗｉｔｃｈｅｄ:以下、‘ＣＳ’と称する)ネットワークに連結される。ＣＳネットワークは、従来の接続ベース(connection-based)の音声通信ネットワークを意味する。ＲＮＣ１４０とＭＳＣ１５０との間の通信は、回線交換シグナリング(Ｃｉｒｃｕｉｔ Ｓｗｉｔｃｈｅｄ Ｓｉｇｎａｌｉｎｇ: 以下、“ＣＳ Ｓｉｇｎａｌｉｎｇ”と称する)により行われる。特に、ＲＮＣ１４０とＭＳＣ１５０との間の接続はＩｕ−ＣＳインターフェースと言われる。ＭＢＭＳデータストリームは、運送ネットワーク１２０、ＳＧＳＮ１３０、ＲＮＣ１４０、ノードＢ及びセル１６０、１７０を経てＵＥ１６１、１６２、１６３、１７１、１７２に伝達される。
【００１０】
また、一つのＭＢＭＳサービスについて、一つまたは多数のＳＧＳＮに多数のＲＮＣが設けられてもよい。この時、各ＳＧＳＮはＲＮＣ１４０に、各ＲＮＣは多数の各セルに選択的にデータ伝送を実行し、そのためにデータストリームを伝達しなければならないノードのリスト(即ち、ＳＧＳＮはＲＮＣのリスト、ＲＮＣはセルのリスト)などを保存し、その保存されているノードにだけを選択的にＭＢＭＳデータ伝送を実行する。
【００１１】
以下、ＭＢＭＳサービスを提供するために、ユーザーとネットワークの間で行われる必要がある動作について説明する。
ＭＢＭＳサービスを提供するためには、該当サービスに関する基本的な情報、例えば、ＭＢＭＳサービスの識別子(ＭＢＭＳ ＳＥＲＶＩＣＥ ＩＤ)、サービス開始時間と持続時間に関する情報をＵＥに伝達する過程が必要である。この過程がサービス案内(ＳＥＲＶＩＣＥ ＡＮＮＯＵＮＣＥＭＥＮＴ)過程である。
【００１２】
サービス案内過程を通じて特定サービスに関する基本情報を取得したＵＥは、もしそのサービスを受信しようとする場合には上位ネットワークノードにサービス送信を要請する。この過程がサービス要請(ＪＯＩＮＩＮＧ)過程である。サービス要請(ＪＯＩＮＩＮＧ)過程は、サービス案内過程を通じて受信したサービス識別子をメッセージに載せてＢＭ−ＳＣに伝達し、この過程を通じて、ＢＭ−ＳＣとＵＥとの間に位置している装置、即ち、ＳＧＳＮ、ＧＧＳＮなどは、ＭＢＭＳサービスを受けることを希望するＵＥと、このＵＥが位置している領域とを認知することができる。例えば、ＳＧＳＮはサービス要請(ＪＯＩＮＩＮＧ)過程を通じてＵＥのリストと、ＵＥが位置しているＲＮＣのリストとを把握することができ、ＵＥが位置しているＲＮＣにだけＭＢＭＳデータを伝送する。
【００１３】
この時、ＵＥがＭＢＭＳサービスに参加した以後にＵＥのＳＲＮＣと、ＵＥが位置したセルを管理するＲＮＣとが異なる場合(この場合、ＣＲＮＣはＵＥのＤＲＮＣである)、ＳＲＮＣはＤＲＮＣにＵＥがサービスを要請したＭＢＭＳサービスリストを伝送する。この過程がＭＢＭＳ添付(MBMS ATTACH)過程である。ＤＲＮＣは、その情報を利用してＭＢＭＳサービスコンテクスト(ＭＢＭＳ Ｓｅｒｖｉｃｅ Ｃｏｎｔｅｘｔ)を生成し、ＳＧＳＮにＭＢＭＳ関連メッセージを伝送するＲＮＣに登録する。この過程がＭＢＭＳ登録(MBMS REGISTRATION)過程である。
【００１４】
ＢＭ−ＳＣは、セッション開始(Ｓｅｓｓｉｏｎ Ｓｔａｒｔ)手続きを通じてＭＢＭＳサービスに登録したＵＥとそのＵＥが位置しているネットワーク装置にＭＢＭＳデータが間もなく伝送される旨を知らせ、ＭＢＭＳサービスデータのＱｏＳ(Ｑｕａｌｉｔｙ ｏｆ Ｓｅｒｖｉｃｅ)情報とＭＢＭＳサービス領域(ＭＢＭＳ Ｓｅｒｖｉｃｅ Ａｒｅａ)情報を伝達する。
【００１５】
以後、資源割り当て過程(ＲＥＳＯＵＲＣＥ ＡＬＬＯＣＡＴＩＯＮ PROCESS)を通じてＭＢＭＳデータをＢＭ−ＳＣからＵＥに伝達するために、各ネットワーク装置の間にＭＢＭＳデータを伝送するデータベアラー(data bearers)を設定して無線資源を実際割り当ててその情報を関連装置に報知する。この段階で、ＲＮＣは各セルに属したＵＥの数に関する情報と無線資源管理機能(Ｒａｄｉｏ Ｒｅｓｏｕｒｃｅ Ｍａｎａｇｅｍｅｎｔ Ｆｕｎｃｔｉｏｎ)に基づいて伝送モード(ｔｒａｎｓｍｉｓｓｉｏｎ ｍｏｄｅ)をＰＴＭまたはＰＴＰに決定することができる。この時、伝送モードがＰＴＰである場合は、ＳＲＮＣはＵＥ別にＭＢＭＳデータ伝送のための資源割り当てを担当する。即ち、ＳＲＮＣは専用制御チャンネル(Ｄｅｄｉｃａｔｅｄ Ｃｏｎｔｒｏｌ Ｃｈａｎｎｅｌ：以下、“ＤＣＣＨ”と称する)を通じてＭＢＭＳに加入したＵＥに無線ベアラー設定(以下、“ＲＢ Ｓｅｔ−ｕｐ”と称する)メッセージを伝送して、ＭＢＭＳデータ伝送のための無線ベアラー、即ち、伝送チャンネルと物理チャンネルを設定する。一方、伝送モードがＰＴＭである場合には、ＣＲＮＣがセル別にＭＢＭＳデータ伝送のための資源割り当てを担当する。即ち、ＣＲＮＣはＭＢＭＳ制御チャンネル(ＭＢＭＳ Ｃｏｎｔｒｏｌ Ｃｈａｎｎｅｌ : 以下、“ＭＣＣＨ”と称する)を通じてＵＥにＭＢＭＳ 無線ベアラー情報(以下、“ＭＢＭＳ ＲＢ Ｉｎｆｏｒｍａｔｉｏｎ”と称する)メッセージを伝送して、ＭＢＭＳデータ伝送のための無線ベアラー、即ち、伝送チャンネルと物理チャンネルを設定する。
【００１６】
ここで、ＭＢＭＳ ＲＢ情報メッセージと共にＭＣＣＨを通じてＭＢＭＳ制御メッセージを伝送しようとする際に、ＣＲＮＣは先にＭＩＣＨを通じてＵＥを呼び出す必要がある。これは、ＭＢＭＳサービスに参加した後にＵＥはバッテリーの不必要な消耗を避けるために連続的にＭＣＣＨを受信しないで、ＭＩＣＨを通じた呼び出しを通じて一定期間のみＭＣＣＨを受信するためである。
【００１７】
しかし、ＵＥが、専用チャンネル(ＤＣＨ：Ｄｅｄｉｃａｔｅｄ Ｃｈａｎｎｅｌ)を有している状態、または、ＣＥＬＬ＿ＤＣＨ状態にあるときに、ＵＥ受信性能(ｃａｐａｂｉｌｉｔｙ)が低ければ、ＭＩＣＨの受信が不可能で、ＰＴＭでＭＢＭＳサービスが始まったことを感知できない。即ち、ＵＥがＣＳ／ＰＳ専用サービスを受けているときであっても、ＭＢＭＳサービスが始まったことの通報をＵＥが受けなければ、ＭＢＭＳサービスの要求事項(Ｒｅｑｕｉｒｅｍｅｎｔ)が満足されないという問題点がある。これを防止するために、ＳＲＮＣはＤＣＣＨを通じてＣＥＬＬ＿ＤＣＨ状態にあるＵＥにＭＢＭＳ専用通知(ＭＢＭＳ Ｄｅｄｉｃａｔｅｄ Ｎｏｔｉｆｉｃａｔｉｏｎ)メッセージを提供し、このＭＢＭＳ専用通知メッセージはＭＢＭＳサービス識別子と伝送モード情報を含み、ＵＥの専用呼び出しのために使用される。
【００１８】
一方、ＵＥのＳＲＮＣとそのＵＥが位置したセルを管理するＣＲＮＣとが異なる場合、セッションが始めた以後にＣＲＮＣはセル別に決定された伝送モードをＳＲＮＣに知らせる必要がある。この過程がＭＢＭＳチャンネルタイプ再構成(ＭＢＭＳ Ｃｈａｎｎｅｌ Ｔｙｐｅ Ｒｅｃｏｎｆｉｇｕｒａｔｉｏｎ)過程である。
【００１９】
伝送モードはＰＴＰまたはＰＴＭに区分される。しかし、該当セルがＭＢＭＳサービス領域に属しないか、セルの無線資源の不足によりサービスが提供できない場合、これを知らせる方法は提供されない。このような状態をＳＲＮＣに知らせない場合、ＳＲＮＣはサービスが提供できないにもかかわらずＵＥにサービスを通知するようになり、これを受けたＵＥは提供できないサービスを受信するために現在受信中の他のサービスを中断するようになる。
したがって、ＣＲＮＣがＳＲＮＣにセル別に適切な伝送モードを伝送し、それに基づいてＳＲＮＣがサービスを通知するか否かを決定するための方法を要するようになった。
【発明の開示】
【発明が解決しようとする課題】
【００２０】
本発明は、上述したような従来技術の問題点を解決するためになされたもので、その第１の目的は、ＭＢＭＳサービスを提供するための呼出方法を提供することである。
本発明の第２の目的は、ＭＢＭＳサービスを提供する移動通信システムの呼び出し方法において、ＭＢＭＳデータの伝送モードによって適切にＵＥを呼び出すことができる方法を提供することである。
【００２１】
本発明の第３の目的は、ＭＢＭＳデータの伝送モードに応じて適切にＵＥを呼び出すことにおいて、ＤＲＮＣからＭＢＭＳデータ伝送のための伝送モードを決定した後にＳＲＮＣに伝送する効率的な方法を提供することである。
本発明の第４の目的は、ＭＢＭＳデータの伝送モードに応じて適切にＵＥを呼び出すことにおいて、ＳＲＮＣがＵＥのための伝送モードを決定する際に、ＤＲＮＣから受信したセル別に決定された伝送モードを利用する方法を提供することである。
【課題を解決するための手段】
【００２２】
上記目的を達成するために本発明は、複数のセルを通じて前記セルに位置する一つ以上のユーザー端末にマルチメディアブロードキャスト／マルチキャストサービス(ＭＢＭＳ)を提供する第１の無線網制御器と、前記セルを管理する第２の無線網制御器と、を含む移動通信システムにおける前記ＭＢＭＳを提供するための呼び出し方法であって、前記第２の無線網制御器が前記セル別にＭＢＭＳを提供するか否かを含む伝送モード情報を決定し、前記決定された伝送モード情報を含むメッセージを前記第１の無線網制御器に伝送する過程と、前記第１の無線網制御器が前記伝送モード情報を含む通知メッセージを専用物理チャンネルを通じて前記セルに位置する前記ユーザー端末に伝送する過程と、を含むことを特徴とする。
【発明の効果】
【００２３】
本発明によれば、ＤＲＮＣがＭＢＭＳデータ伝送のための伝送モードを決定した後にその決定された伝送モードをＳＲＮＣに伝送することにより、ＳＲＮＣはＤＲＮＣからセル別に決定された伝送モードの提供を受けてＵＥのための伝送モードを決定する。したがって、ＳＲＮＣはセル別にＵＥのために決定された伝送モードに応じて適切にＵＥを呼び出すことにより、限定されている無線資源を効率的に使用してＭＢＭＳサービスを一層効果的に提供する。
【発明を実施するための最良の形態】
【００２４】
以下、本発明の好適な一実施形態について添付図面を参照しつつ詳細に説明する。下記の説明において、本発明の要旨のみを明確にする目的で、関連した公知機能又は構成に関する具体的な説明は省略する。
また、後述される詳細な説明では、上述した技術的課題を達成するための本発明において多数の代表的な実施例を提示する。
【００２５】
ＭＢＭＳサービスのために登録(Ｒｅｇｉｓｔｒａｔｉｏｎ)を実行したＲＮＣは、セッション開始(Ｓｅｓｓｉｏｎ Ｓｔａｒｔ)手続きを通じてＭＢＭＳデータのサービス品質情報(Ｑｕａｌｉｔｙ ｏｆ Ｓｅｒｖｉｃｅ：以下、“ＱｏＳ”と称する)情報と、ＭＢＭＳサービス領域(ＭＢＭＳ Ｓｅｒｖｉｃｅ Ａｒｅａ)情報をＣＮから伝送を受けてセル別にＭＢＭＳデータ伝送のための適切な伝送モード、即ち、チャンネルタイプを決定する。この時、考慮する事項は、ＭＢＭＳサービス領域に属したセルに位置してＭＢＭＳサービスに参加(ｊｏｉｎｉｎｇ)するＵＥの数とセルの無線資源状態である。
【００２６】
これと関連して本発明の好ましい実施形態において伝送モードは、ＰＴＰ/ＰＴＭ/提供不可(Ｎｏｔ Ｐｒｏｖｉｄｅ)の三種類に定義する。
(1)ＰＴＰ：ＭＢＭＳデータ伝送のためにＳＲＮＣがＵＥ別に専用チャンネル(ＤＣＨ)を割り当てることを示す。 
(2)ＰＴＭ：ＭＢＭＳデータ伝送のためにＣＲＮＣがセル別に共用チャンネルであるＦＡＣＨ(Ｆｏｒｗａｒｄ Ａｃｃｅｓｓ Ｃｈａｎｎｅｌ)を割り当てることを示す。
(3)Ｎｏｔ ｐｒｏｖｉｄｅ(提供不可)：セルがＭＢＭＳサービス領域に属しないか、セルの資源が枯渇されてＭＢＭＳデータ伝送のために無線資源を割り当てることができないときに、前記セルを通じてＭＢＭＳが支援されないことを示す。
【００２７】
ＵＥのＳＲＮＣとＵＥが位置したセルを管理するＲＮＣとが異なる場合(この場合、ＲＮＣはＣＲＮＣであると同時にＤＲＮＣである)、ＤＲＮＣはセル別にＭＢＭＳサービスのための伝送モードを決定した後、ＭＢＭＳチャンネルタイプ再構成指示メッセージ(ＭＢＭＳ Ｃｈａｎｎｅｌ Ｔｙｐｅ Ｒｅｃｏｎｆｉｇｕｒａｔｉｏｎ Ｉｎｄｉｃａｔｉｏｎ)を通じてＳＲＮＣにその決定した伝送モードを知らせる。ここで、ＭＢＭＳ Ｃｈａｎｎｅｌ Ｔｙｐｅ Ｒｅｃｏｎｆｉｇｕｒａｔｉｏｎ Ｉｎｄｉｃａｔｉｏｎメッセージは、ＲＮＣの間のＩｕｒインターフェース上で下記に例示したシグナリングベアラー(signaling bearers)を利用して伝送される。
【００２８】
1) 非連結型シグナリングベアラー(Ｃｏｎｎｅｃｔｉｏｎｌｅｓｓ Ｓｉｇｎａｌｉｎｇ Ｂｅａｒｅｒ)を利用
2) 二つのＲＮＣの間に一つのＭＢＭＳサービスコンテクストのために専用に設定された連結(Ｃｏｎｎｅｃｔｉｏｎ Ｏｒｉｅｎｔｅｄ)シグナリングベアラーを利用
3) 二つのＲＮＣの間にすべてのＭＢＭＳサービスのために設定された連結型シグナリングベアラーを利用
【００２９】
また、本発明によれば、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージは、次のような情報要素を含む。
(1) ＭＢＭＳサービス識別子
(2) セル識別子
(3) 伝送モード情報
【００３０】
本発明では、前記伝送モードをＤＲＮＣからＳＲＮＣに伝達する方法として、次のような３種類の実施形態を提示する。
【００３１】
＜第１の実施形態＞
ＤＲＮＣは、該当セルの伝送モードをＰＴＰに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード＝ＰＴＰを指示するメッセージ]を伝送する。
ＤＲＮＣは、該当セルの伝送モードをＰＴＭに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード＝ＰＴＭを指示するメッセージ]を伝送する。
【００３２】
ＤＲＮＣは、該当セルの伝送モードを提供負荷（Ｎｏｔ ｐｒｏｖｉｄｅ）に決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード=Ｎｏｔ ｐｒｏｖｉｄｅを指示するメッセージ]を伝送する。
ＳＲＮＣは、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを受信してそのメッセージが示す伝送モード情報を確認して該当セルの伝送モードとしてＰＴＰ、ＰＴＭ及び提供負荷（Ｎｏｔ ｐｒｏｖｉｄｅ）の中の一つを決定する。
【００３３】
このように、ＤＲＮＣが現在セルの伝送モードをＳＲＮＣに知らせて、ＳＲＮＣはＵＥに効率的にＭＢＭＳサービスを提供するようになる。
【００３４】
＜第２の実施形態＞
ＤＲＮＣは、該当セルの伝送モードをＰＴＰに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード＝ＰＴＰを指示するメッセージ]を伝送する。
ＤＲＮＣは、該当セルの伝送モードをＰＴＭに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード＝ＰＴＭを指示するメッセージ]を伝送する。
【００３５】
ＤＲＮＣは、該当セルの伝送モードをＮｏｔ ｐｒｏｖｉｄｅに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを伝送しない。
ＳＲＮＣは、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを受信した場合、そのメッセージの伝送モード情報を確認して、該当セルの伝送モードをＰＴＰあるいはＰＴＭと判断する。一方、ＳＲＮＣがＭＢＭＳ Ａｔｔａｃｈを実行したＤＲＮＣからＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを受信しなかった場合、自動的に(ｉｍｐｌｉｃｉｔｌｙ)該当セルの伝送モードを提供不可（Ｎｏｔ Ｐｒｏｖｉｄｅ）と判断する。
【００３６】
即ち、第２の実施形態によれば、伝送モードが提供不可（Ｎｏｔ Ｐｒｏｖｉｄｅ）である際に、ＤＲＮＣはＳＲＮＣにＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを伝送しないのでＩｕｒインターフェース上のシグナリングの負荷を減らすことができる。
【００３７】
＜第３の実施形態＞
ＤＲＮＣは、該当セルの伝送モードをＰＴＰに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード＝ＰＴＰを指示するメッセージ]を伝送する。
ＤＲＮＣは、該当セルの伝送モードをＰＴＭに決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを伝送しない。
ＤＲＮＣは、該当セルの伝送モードを提供負荷（Ｎｏｔ ｐｒｏｖｉｄｅ）に決定した場合、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージ[伝送モード＝提供負荷（Ｎｏｔ ｐｒｏｖｉｄｅ）を指示するメッセージ]を伝送する。
【００３８】
従って、ＳＲＮＣは、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを受信した場合、そのメッセージの伝送モード情報を確認して、該当セルの伝送モードをＰＴＰあるいはＮｏｔ Ｐｒｏｖｉｄｅと判断する。一方、ＳＲＮＣはＭＢＭＳ Ａｔｔａｃｈを実行したＤＲＮＣからＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを受信しなかった場合、自動的に該当セルの伝送モードをＰＴＭと判断する。
【００３９】
即ち、第３の実施形態によれば、伝送モードがＰＴＭである際に、ＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを伝送しないので、Ｉｕｒインターフェース上のシグナリングの負荷を減らすことができる。
【００４０】
本発明の好ましい実施形態において、各伝送モードによるＳＲＮＣの動作を定義すれば下記のようである。ＵＥがソフトハンドオーバー中である場合、ＵＥはアクティブセット(Ａｃｔｉｖｅ Ｓｅｔ)に属した多数のセルから多数の無線リンク(Ｒａｄｉｏ Ｌｉｎｋ)を感知する。この場合、ＳＲＮＣはその多数の無線リンクに関連された少なくとも一つのＤＲＮＣからＭＢＭＳ チャンネルタイプ再構成指示（Ｃｈａｎｎｅｌ Ｔｙｐｅ Ｒｅｃｏｎｆｉｇｕｒａｔｉｏｎ Ｉｎｄｉｃａｔｉｏｎ）メッセージを受信してアクティブセットに属したすべてのセルの伝送モードを把握した後、そのＵＥのための伝送モードを最終的に決定する。この時、アクティブセットに属したすべてのセルの伝送モードを考慮してＵＥのためにＳＲＮＣが決定した伝送モードは、該当ＤＲＮＣで決定した各セルの伝送モードと異なってもよい。
【００４１】
1. ＵＥのための伝送モードがＰＴＰである場合、ＳＲＮＣは、ＭＢＭＳデータ伝送が、ＰＴＰでＤＣＣＨを通じてで始まったことをＵＥに知らせるために、ＭＢＭＳ 専用通知（Ｄｅｄｉｃａｔｅｄ Ｎｏｔｉｆｉｃａｔｉｏｎ）メッセージを伝送する。他の方法として、通知メッセージを伝送しないでＲＢ Ｓｅｔｕｐ ＲＲＣメッセージを通じてＵＥにＭＢＭＳデータ受信のための無線資源を割り当てることもできる。
【００４２】
2. ＵＥのための伝送モードがＰＴＭである場合、ＳＲＮＣは、ＭＢＭＳデータ伝送が、ＰＴＭでＤＣＣＨを通じて始まったことをＵＥに知らせるために、ＭＢＭＳ 専用通知（Ｄｅｄｉｃａｔｅｄ Ｎｏｔｉｆｉｃａｔｉｏｎ）メッセージを伝送する。
【００４３】
3. ＵＥのための伝送モードが提供不可（Ｎｏｔ Ｐｒｏｖｉｄｅ）である場合、ＳＲＮＣは、ＤＣＣＨを通じてＭＢＭＳデータ伝送が始まったが、ＵＥが位置したセルではサービスを提供することができないことをＵＥに知らせるために、ＭＢＭＳ 専用通知（Ｄｅｄｉｃａｔｅｄ Ｎｏｔｉｆｉｃａｔｉｏｎ）メッセージを伝送する。他の方法として、通知メッセージを伝送しなくてもよい。
【００４４】
図２は、本発明の好ましい実施形態によるＤＲＮＣの動作を示すフローチャートである。ここでは、上述した第３の実施形態による動作について示す。
図２に示したように、まず、ステップ６００で、ＤＲＮＣは、ＣＮから、ＵＥが参加したＭＢＭＳサービスに関するセッション開始(Ｓｅｓｓｉｏｎ Ｓｔａｒｔ)メッセージを受信する。ステップ６１０で、ＤＲＮＣはＭＢＭＳデータ伝送のための伝送モードを決定する。ＤＲＮＣは、ステップ６２０では、ＭＢＭＳデータ伝送のための伝送モードがＰＴＰであるか否かを決定し、ステップ６２５では、ＭＢＭＳデータ伝送のための伝送モードが提供不可（Ｎｏｔ Ｐｒｏｖｉｄｅ）であるか否かを決定する。決定された伝送モードがＰＴＰまたは提供不可（Ｎｏｔ Ｐｒｏｖｉｄｅ）である場合に、ステップ６４０で、ＤＲＮＣは伝送モード情報(ＰＴＰまたは提供不可（Ｎｏｔ Ｐｒｏｖｉｄｅ）)を設定したＭＢＭＳ チャンネルタイプ再構成指示（ＣＨＡＮＮＥＬ ＴＹＰＥ ＲＥＣＯＮＦＩＧＵＲＡＴＩＯＮ ＩＮＤＩＣＡＴＩＯＮ）メッセージをＳＲＮＣに伝送した後、ステップ６６０に進行する。
【００４５】
一方、ステップ６３０では、ステップ６１０で決定された伝送モードがＰＴＭである場合、ステップ６５０に進行する。ステップ６５０では、ＤＲＮＣは、ＰＴＭが設定されたセルにＭＢＭＳデータ伝送のための無線資源、即ち、ＰＴＭ無線ベアラーを設定した後、ステップ６５３に進行する。ステップ６５３では、ＲＮＣはＭＩＣＨを通じてＵＥにＭＣＣＨで制御メッセージが伝送されることを示す通知指示子(Ｎｏｔｉｆｉｃａｔｉｏｎ Ｉｎｄｉｃａｔｏｒ)を伝送した後、ステップ６５５に進行する。ステップ６５５で、ＤＲＮＣは、ＭＣＣＨのＭＢＭＳ ＲＢ ＩＮＦＯＲＭＡＴＩＯＮメッセージを通じてステップ６５０で設定した無線資源に関する構成情報を伝送した後、ステップ６６０に進行する。
【００４６】
ステップ６６０で、ＤＲＮＣはＣＮからセッション中止(Ｓｅｓｓｉｏｎ Ｓｔｏｐ)メッセージを受信してＭＢＭＳセッションが中止されたことを感知した場合には動作を終了する。一方、ＭＢＭＳセッションが進行中である場合には、ステップ６７０に進行する。
ステップ６７０で、ＤＲＮＣはステップ６１０を通じて決定した伝送モードが変更されたか否かを決定する。ＭＢＭＳサービスに参加したＵＥの数がＰＴＭ伝送モードを決定する臨界値を超過した場合、あるいはセルの無線資源に変更が発生した場合、伝送モードは変更できる。伝送モードが変更された場合には、ステップ６２０に復帰する。
【００４７】
図３は、本発明の好ましい実施形態によるＳＲＮＣの動作を示すフローチャートである。同様にここでは上述した第３の実施形態による動作について示す。
図３に示したように、まず、ステップ７００で、ＳＲＮＣはＣＮからＵＥが参加したＭＢＭＳサービスに関するセッション開始(Ｓｅｓｓｉｏｎ Ｓｔａｒｔ)メッセージを受信してＭＢＭＳセッションが始まったことを感知する。ステップ７１０で、ＳＲＮＣはＤＲＮＣからＭＢＭＳ チャンネルタイプ再構成指示（ＣＨＡＮＮＥＬ ＴＹＰＥ ＲＥＣＯＮＦＩＧＵＲＡＴＩＯＮ ＩＮＤＩＣＡＴＩＯＮ）メッセージを受信したか否かを決定する。前記メッセージを受信した場合、ステップ７２０で、ＳＲＮＣはＭＢＭＳ チャンネルタイプ再構成指示（ＣＨＡＮＮＥＬ ＴＹＰＥ ＲＥＣＯＮＦＩＧＵＲＡＴＩＯＮ ＩＮＤＩＣＡＴＩＯＮ）メッセージに含まれた伝送モード情報がＰＴＰであるか否かを確認する。該確認の結果、そのメッセージに含まれた伝送モード情報がＰＴＰを示す場合にはステップ７４０に進行する。一方、そうではない場合には、ステップ７３０で、伝送モード情報が提供不可（Ｎｏｔ ｐｒｏｖｉｄｅ）を示すか否か確認する。該確認の結果、提供不可（Ｎｏｔ ｐｒｏｖｉｄｅ）を示す場合に、ＳＲＮＣはステップ７５０に進行する。
【００４８】
ステップ７４０で、ＳＲＮＣはＵＥ別にＭＢＭＳデータ伝送のための無線資源を設定した後、ステップ７４３に進行する。ステップ７４３で、ＳＲＮＣはＤＣＣＨを通じてＵＥにＭＢＭＳデータ伝送がＰＴＰで始まったことを知らせるために、ＭＢＭＳ 専用通知（Ｄｅｄｉｃａｔｅｄ Ｎｏｔｉｆｉｃａｔｉｏｎ）メッセージを伝送する。この時、そのＭＢＭＳ 専用通知（Ｄｅｄｉｃａｔｅｄ Ｎｏｔｉｆｉｃａｔｉｏｎ）メッセージは、ＭＢＭＳサービス識別子と伝送モード情報[ＰＴＰ]と、を含み、これはＵＥの専用呼び出し(Ｄｅｄｉｃａｔｅｄ ｐａｇｉｎｇ)のためのことである。次に、ステップ７４５で、ＳＲＮＣはＤＣＣＨのＲＢ ＲＥＣＯＮＦＩＧＵＲＡＴＩＯＮメッセージを通じてステップ７４０で設定した無線資源に関する構成情報を伝送する。次に、ステップ７７０で、ＳＲＮＣはセッション中止(Ｓｅｓｓｉｏｎ Ｓｔｏｐ)メッセージを受信する。ここで、ＭＢＭＳセッションが中止されたことを感知した場合、ＳＲＮＣは動作を終了する。一方、ＭＢＭＳセッションが中止しなかった場合には、ステップ７１０に復帰する。
【００４９】
ステップ７５０で、ＳＲＮＣはＤＣＣＨを通じてＵＥにＭＢＭＳデータ伝送が始まったが、ＵＥが位置したセルではサービスが提供できないことを知らせるために、ＭＢＭＳ 専用通知（Ｄｅｄｉｃａｔｅｄ Ｎｏｔｉｆｉｃａｔｉｏｎ）メッセージを伝送した後、ステップ７７０に進行する。そのＭＢＭＳ 専用通知（Ｄｅｄｉｃａｔｅｄ Ｎｏｔｉｆｉｃａｔｉｏｎ）メッセージは、ＭＢＭＳサービス識別子と、伝送モード情報[提供不可（Ｎｏｔ Ｐｒｏｖｉｄｅ）]と、を含む。この時、ＭＢＭＳサービスが提供できない場合、ＳＲＮＣはステップ７５０を省略して、ＵＥにＭＢＭＳデータ伝送が始まったことを通知しないこともできる。
【００５０】
一方、ステップ７１０で、ＭＢＭＳ チャンネルタイプ再構成指示（ＣＨＡＮＮＥＬ ＴＹＰＥ ＲＥＣＯＮＦＩＧＵＲＡＴＩＯＮ ＩＮＤＩＣＡＴＩＯＮ）メッセージを受信しなかった場合、ＳＲＮＣはステップ７６０に進行する。これはＤＲＮＣと添付（Ａｔｔａｃｈ）を実行したがＭＢＭＳ チャンネルタイプ再構成指示（ＣＨＡＮＮＥＬ ＴＹＰＥ ＲＥＣＯＮＦＩＧＵＲＡＴＩＯＮ ＩＮＤＩＣＡＴＩＯＮ）メッセージを受信しなかった場合である。この場合、ＳＲＮＣはセルの伝送モードがＰＴＭであると自動的に決定する。したがって、ステップ７６０で、ＳＲＮＣはＤＣＣＨを通じてＵＥにＭＢＭＳデータ伝送がＰＴＭで始まったことを知らせるために、ＭＢＭＳ 専用通知（Ｄｅｄｉｃａｔｅｄ Ｎｏｔｉｆｉｃａｔｉｏｎ）メッセージを伝送する。その専用通知（Ｄｅｄｉｃａｔｅｄ Ｎｏｔｉｆｉｃａｔｉｏｎ）メッセージは、ＭＢＭＳサービス識別子と、伝送モード情報[ＰＴＭ]と、を含む。
【図面の簡単な説明】
【００５１】
【図１】マルチメディアブロードキャスト／マルチキャストサービスのためのネットワーク構成を示す図である。
【図２】本発明の実施形態によるＤＲＮＣの動作を示すフローチャートである。
【図３】本発明の実施形態によるＳＲＮＣの動作を示すフローチャートである。
【図１】
2005323378.tif 000003
【図２】
2005323378.tif 000004
【図３】
2005323378.tif 000005